(57)【要約】      （修正有）【課題】迷光による輝度ムラ又は明暗線が低減され、コントラストの向上が実現された表示ユニットを提供する。【解決手段】表示ユニット１１は、光源１及びカバー５を備える。光源１は、基板２上に２次元的に複数配列されている。カバー５は、光源１の発光部と対向して配置され、光源１が放射する光を透過する。また、カバー５は、カバー５の基板２と対向する面上であって、隣り合う２つの光源１の間に位置する面に、凹凸構造６１を有する。【選択図】図１
2015011148.tif 000002
【特許請求の範囲】
【請求項１】
基板上に２次元的に配列された複数の光源と、
前記光源の発光部と対向して配置され、前記光源が放射する光を透過するカバーとを備え、
前記カバーは、前記カバーの前記基板と対向する面上であって、隣り合う２つの前記光源の間に位置する面に、凹凸構造を有する表示ユニット。
【請求項２】
前記凹凸構造は、隣り合う前記光源の中心を結ぶ直線を含む面であって、前記基板に対して垂直な面で切断した形状が、三角形形状を並べた形状をしており、前記直線に直角で前記基板に平行な直線を含む面であって、前記基板に対して垂直な面で切断した形状が、直線形状をしている請求項１に記載の表示ユニット。
【請求項３】
前記凹凸構造を形成する２つの斜面のうち、最も強い外光が入射する方向にある斜面の前記基板に対する傾斜角度が、他の斜面の前記基板に対する傾斜角度より小さい請求項２に記載の表示ユニット。
【請求項４】
前記凹凸構造を形成する２つの斜面のうち、前記凹凸構造の位置から前記光源に近い斜面の傾斜角は、他の斜面の前記基板に対する傾斜角より小さい請求項２に記載の表示ユニット。
【請求項５】
前記凹凸構造を有する面に対向する前記カバーの面にも凹凸構造を有する請求項１から４のいずれか１項に記載の表示ユニット。
【請求項６】
請求項１から５のいずれか１項に記載の表示ユニットを並べて配置した表示装置。
【発明の詳細な説明】
【技術分野】
【０００１】
本発明は、主に屋外に設置され、発光ダイオード（以下、ＬＥＤという。）等の多数の発光素子の発光により映像又は文字の表示を大画面で行う映像表示装置に関するものである。
【背景技術】
【０００２】
一般に、映像表示装置は、複数の発光素子を有する表示ユニットを平面上に多数配列することにより構成されている。近年、発光素子としては、ＬＥＤが使用されるようになった。ＬＥＤは、配置及び配列ピッチを任意に設計できるメリットがある。このことから、用途に応じて様々な解像度や輝度を持つ映像表示装置が構成できるようになった。上記の映像表示装置の表示ユニットは、単色、２色又は光の３原色の表面実装型ＬＥＤを多数配列している。従来の表示装置は、多くの場合には、光源として、ＬＥＤとレンズとが一体となったＬＥＤを用いている。また、ＬＥＤの基板の前面には、防塵又は防雨用の平面板が配置されている。光の３原色は、赤色（Ｒ）、緑色（Ｇ）及び青色（Ｂ）である。大型の表示装置は、多数の表示ユニットが縦横に配列されている。各々の表示ユニットは、外部の制御装置により制御されている。
【０００３】
特許文献１は、ＬＥＤ配列板上に配列されたＬＥＤの光の出射側に、厚さが０．５ｍｍの透明なポリカーボネートの板を配置しているＬＥＤ表示装置を開示している。
【先行技術文献】
【特許文献】
【０００４】
【特許文献１】特開２０１１−４０５７０（図１Ａ）
【発明の概要】
【発明が解決しようとする課題】
【０００５】
しかしながら、上述のＬＥＤ表示装置は、太陽の光にさらされる屋外で使用された際には、ポリカーボネートの板に太陽光が入射することになる。この場合には、太陽光がポリカーボネートの板の中を伝播して、迷光が発生する。そして、この迷光により、局所的な画面のギラつき、輝度ムラ又は明暗線等が発生するという問題点があった。「明暗線」とは、同じ列または行の画素から迷光が集中して出射することで、ライン状に白く光って見える光の線のことである。または、表示ユニットの端の画素から出射した迷光が周辺のコントラストを低下させることで、表示ユニットと表示ユニットとの結合部分にできる溝の影が際立ってできる黒い線のことである。
【０００６】
本発明に係る表示装置は、発光素子の前面に配置された透明な一体型のレンズアレイ又は保護カバー等のカバー部材の内部を伝播する迷光を抑制し、局所的なギラつき、輝度ムラ又は明暗線等を抑えることを目的とする。
【課題を解決するための手段】
【０００７】
以上の目的を達成するために本発明に係る表示ユニットは、基板上に２次元的に配列された複数の光源と、前記光源の発光部と対向して配置され、前記光源が放射する光を透過するカバーとを備え、前記カバーは、前記カバーの前記基板と対向する面上であって、隣り合う２つの前記光源の間に位置する面に、凹凸構造を有する。
【発明の効果】
【０００８】
カバー部材の内部に侵入した外光の伝播を抑制して、迷光による表示品質の低下を抑える。
【図面の簡単な説明】
【０００９】
【図１】本発明の実施の形態１の迷光を伝播させないための凹凸構造を備えた表示ユニットの分解奢侈図および断面図である。
【図２】本発明の実施の形態２の迷光を伝播させないための凹凸構造を備えた表示ユニットの分解奢侈図および断面図である。
【図３】本発明の実施の形態３の迷光を伝播させないための凹凸構造を備えた表示ユニットの分解奢侈図および断面図である。
【図４】本発明の実施の形態４の迷光を伝播させないための凹凸構造を備えた表示ユニットの分解奢侈図および断面図である。
【図５】本発明の表示ユニットを並べた表示装置の構成図である。
【図６】表示装置の発光素子と防塵又は防雨用のカバーが一体となった表示ユニットの斜投影図および断面図である。
【図７】表示装置の発光素子とレンズが一体となったレンズアレイを用いた表示ユニットの斜投影図および断面図である。
【図８】表示装置が有する問題の説明に必要な、従来の表示ユニットの分解斜視図および断面図である。
【発明を実施するための形態】
【００１０】
図６は、防塵又は防雨用のカバー５を設けた表示ユニット１０の概略図である。図６（Ａ）は、表示ユニット１０を正面から見た斜視図である。図６（Ｂ）は、表示ユニット１０の断面の構成を示した構成図である。以下の実施の形態において、表示ユニット１０の画素を構成する光源をＬＥＤとして説明する。これは、現在、光源としてＬＥＤが一般的に用いられているからであり、光源をＬＥＤに限定するものではない。
【００１１】
ＬＥＤ１は、基板２に通電可能に取り付けられている。基板２を介して、ＬＥＤ１に電源が供給される。ＬＥＤ１は、用途に応じて、１ｉｎ１型、２ｉｎ１型又は３ｉｎ１型のものが用いられる。「１ｉｎ１型」は、１つのＬＥＤ１の中に、１つの発光素子が実装されているものである。「２ｉｎ１型」は、１つのＬＥＤ１の中に、２つの発光素子が実装されているものである。「３ｉｎ１型」は、１つのＬＥＤ１の中に、３つの発光素子が実装されているものである。
【００１２】
発光素子１の前面側には、防塵又は防雨用のカバー５が配置されている。発光素子１とカバー５との間には、空気層４が設けられている。この空気層４は、基板２に実装されたＬＥＤ１の実装ばらつきとカバー５の凸構造部５１の位置ばらつきとを吸収するために設けられている。カバー５は、基板２に固定されている。また、カバー５は、発光素子１の前面部分に、発光素子の前面側に突出するように形成された凸構造部５１を有している。図６のカバー５では、発光素子１の光が透過する部分が平面で形成されている。
【００１３】
図７は、平面板状のカバー５の代わりに、レンズアレイ３を使用した表示ユニット１０の概略図である。図７（Ａ）は、表示ユニット１０を正面から見た斜視図である。図７（Ｂ）は、表示ユニット１０の断面の構成を示した構成図である。レンズアレイ３は、ＬＥＤ１の前面に１つのレンズ３１が形成されている。１つのＬＥＤ１とその前面に配置されたレンズ３１との組み合わせで１画素が形成される。
【００１４】
図８は、図６で示した表示ユニット１０の構成で、迷光の発生を説明する図である。図８（Ａ）は、表示ユニット１０の概略構成を示した斜視図である。図８（Ｂ）は、表示ユニット１０の断面の概略構成を示した部分図である。表示ユニット１０は、基板２に、表面実装型のＬＥＤ１がマトリックス状に実装されている。「マトリックス」とは、平面上の直交する２つの方向である「行」及び「列」を有するものである。つまり、「マトリックス状に実装する」「行」と「列」に沿って矩形状に部品を実装することをいう。ここでは、基板２の面上に、２次元的にＬＥＤ１を配置することをいう。ＬＥＤ１は、画素を形成するため、近接して配置されている。「近接」とは、近くにあることであり、接していることを要しない。
【００１５】
ＬＥＤ１の前面側には、防塵又は防雨を目的としたカバー５が配置されている。カバー５は、ＬＥＤ１を覆うように配置されている。また、カバー５は、ＬＥＤ１から放射される光を透過するように、透明な材料で作製されている。ＬＥＤ１とカバー５との間には隙間が形成されており、空気層４が存在する。カバー５には、ＬＥＤ１を１つ１つ覆うような凸構造部５１が形成されている。また、カバー５の厚みが増すと材料費が増し、表示ユニット１０の重量も増加することから、カバー５の厚みは、一般的に１ｍｍ〜３ｍｍ程度である。
【００１６】
図８（Ｂ）は、表示ユニット１０が屋外に設置された際に、カバー５に侵入した外光９がカバー５の内部を伝播する様子を概略的に示している。１つのＬＥＤ１の前面からカバー５に入射した外光９は、２つのＬＥＤ１の間で、基板２と対向したカバー５の面で反射して、隣のＬＥＤ１の前面から外部に出射している。この、カバー５の内部を伝播した後に、外部に出射する外光９は、表示している映像とは関係の無い光であり、迷光と呼ばれる。「迷光」とは、光学機器において正規の反射や屈折以外の原因によって生じる望ましくない光のことである。このような外光９のカバー５の内部での伝播は、上下方向に隣り合う画素又は左右方向に隣り合う画素にも発生じうる。
【００１７】
このカバー５の内部を伝播する迷光は、隣り合うＬＥＤ１の間にあるカバー５の面で反射して発生する。つまり、この迷光は、基板２に対向するカバー５の平坦な面の存在により容易に発生する。以下、この隣り合うＬＥＤ１の間にあるカバー５の面で、基板２に対向するカバー５の平坦な面を「対向面６」と呼ぶ。ある画素の正面のカバー５の表面から内部に侵入した外光９は、空気層４で屈折して進行する。屈折により進行方向を変えた外光９は、対向面６で反射する。反射した外光９は、隣の画素の空気層４で屈折して、隣の画素の正面のカバー５の表面から外部に出射する。この迷光により、表示ユニット１０の表示面の輝度値が全体的に上がる。結果として、表示ユニット１０のコントラストが低下する。また、表示ユニット１０に輝度ムラが発生する。また、表示ユニット１０に明暗線が発生する。
【００１８】
対向面６の部分に入射する光の入射角が浅く、対向面６で反射しない光も考えられる。しかし、これらの光の光量は対向面６で反射する光の光量よりも極めて少ない。「入射角」とは、光の進行方向をあらわす線が、反射面に立てた法線ななす角である。「入射角が浅い」とは、入射角が大きいことをいう。
【００１９】
実施の形態１．
【００２０】
以下、この発明の実施の形態１について説明する。図１は、実施の形態１に係る表示ユニット１１の概略図である。図１（Ａ）は、実施の形態１に係る表示ユニット１１の概略構成を正面から示した斜視図である。図１（Ｂ）は、実施の形態１に係る表示ユニット１１の断面の概略構成を示した部分図である。表示ユニット１１は、対向面６に凹凸構造６１を有する点で、表示ユニット１０と相違する。図１では、凹凸構造６１を部分的に拡大して示している。表示ユニット１０の構成要素と同一の構成要素には同一の符号を付しその説明を省略する。表示ユニット１０の構成要素と同一の構成要素は、ＬＥＤ１及び基板２である。
【００２１】
図１（Ｂ）に示すように、隣り合うＬＥＤ１の中心を結ぶ直線を含む面であって、基板２に対して垂直な面で切断した凹凸構造６１の形状は、三角形を並べた形状をしている。ここでの三角形は、二等辺三角形である。つまり、凹凸構造６１の２つの斜面ｓは、対向する基板２の面に対して、等しい傾斜角ａを有している。一方、隣り合うＬＥＤ１の中心を結ぶ直線に直角で基板２に平行な直線を含む面であって、基板２に対して垂直な面で切断した凹凸構造６１の形状は、直線形状をしている。「三角形を並べた形状」とは、鋸歯の形状である。
【００２２】
まず、屋外に設置された表示ユニット１１に太陽の光が照射された場合には、太陽の光（外光９）の一部は、カバー５の凸構造部５１から入射する。凸構造部５１は、ＬＥＤ１の前面側に形成されている。外光９は、空気層４で屈折して進行方向を変える。そして、進行方向を変えた外光９は、対向面６で反射する。この際、表示ユニット１１では、外光９は、対向面６に形成された凹凸構造６１の部分に当たる。そして、外光９は、凹凸構造６１の斜面で反射する。つまり、外光９の進行方向は、外光９が進行してきた方向に変化する。このため、外光９は、隣り合う画素の位置には到達しない。
【００２３】
凹凸構造６１で反射された外光９は、散乱して、カバー５の内部で反射又は透過を繰り返すうちに、カバー５から出射する際の輝度が減衰していく。つまり、隣り合う画素の位置に伝播しようとする迷光５が抑制され、画素の位置から意図しない光の出射量を抑えられる。
【００２４】
なお、ＬＥＤ１の前面におけるカバー５が平板状でなく、図７に示すようなレンズ３１を有するレンズアレイ３の場合でも、凹凸構造６１により、迷光の影響を低減することができる。
【００２５】
また、凹凸構造６１をカバー５の対向面６に形成せずに、対向面６と対向する基板２上の面に設けることもできる。この場合には、対向面６と基板２上の凹凸構造との間に隙間があると、外光９は、対向面６で反射して、基板２上の凹凸構造の効果は十分に発揮されない。一方、対向面６と基板２上の凹凸構造の間に、光を透過する接着剤を充填する場合には、対向面６に凹凸構造６１を形成した場合と同等の効果が得られる。これは、カバー５と接着剤との屈折率の差がカバー５と空気層４との屈折率の差よりも小さくなり、対向面６で光が全反射しないかがである。カバー５と基板２との間に空気層４があると、外光９の多くは、カバー５の面で全反射してしまう。つまり、基板２上に凹凸構造を形成して、単にカバー５を取り付けただけでは、表示ユニット１１有する特別な効果は得られないことが分かる。
【００２６】
表示ユニット１１は、基板２上に２次元的に配列された複数のＬＥＤ１と、ＬＥＤ１の発光部と対向して配置され、ＬＥＤ１が放射する光を透過するカバー５とを備え、カバー５は、カバー５の基板２と対向する面上であって、隣り合う２つのＬＥＤ１の間に位置する面（対向面６）に、凹凸構造６１を有する。ここで、ＬＥＤ１は、光源である。
【００２７】
凹凸構造６１は、隣り合うＬＥＤ１の中心を結ぶ直線を含む面であって、基板２に対して垂直な面で切断した形状が、三角形形状を並べた形状をしており、隣り合うＬＥＤ１の中心を結ぶ直線に直角で基板２に平行な直線を含む面であって、基板２に対して垂直な面で切断した形状が、直線形状をしている。
【００２８】
＜変形例１＞
変形例１で示す凹凸構造６２は、凹凸構造６１と異なる形状をしている。凹凸構造６１は、断面が二等辺三角形の形状をしていた。つまり、凹凸構造６１の２つの斜面は、対向する基板２の面に対して、等しい傾斜角ａを有していた。凹凸構造６２は、２つの辺の長さが異なる三角形の形状をしている。つまり、２つの斜面の傾斜角を異なる角度としている。
【００２９】
図２は、変形例１に係る表示ユニット１１の概略図である。図２（Ａ）は、変形例１に係る表示ユニット１１の概略構成を正面から示した斜視図である。図２（Ｂ）は、変形例１に係る表示ユニット１１の断面の概略構成を示した部分図である。図２では、凹凸構造６２を部分的に拡大して示している。
【００３０】
凹凸構造６２は、特定の角度からの外光９の反射に特化させた点に特徴がある。具体的には、太陽の光の入射する方向にある上側の斜面ｓ１の傾斜角ａ１を小さくして、地面側にある下側の斜面ｓ２の傾斜角ａ２を大きくする。上側の斜面ｓ１の長さが長く、下側の斜面ｓ２の長さが短い。つまり、断面形状の三角形は、上側の辺が長く、下側の辺が短い。上側の斜面ｓ１は、隣り合う画素の位置の間の部分から入射する外光９に対して垂直となるように形成されている。そのため、隣り合う画素の位置の間の部分から入射する外光９は、入射してきた方向に反射されるため、カバー５の内部を伝播しない。
【００３１】
また、上側の画素の位置から入射した外光９も、傾斜角ａ１が大きい場合には、反射した後にカバー５の内部を伝播する場合もあったが、凹凸構造６２の場合には、カバー５の外部に出射される可能性が高くなる。これらのように、凹凸構造６２は、カバー５の内部に入射した外光９を、速やかに外部に放出する。このため、カバー５の内部を伝播する迷光を低減することができる。上述の効果を得るために、凹凸構造６２は、垂直方向に並ぶＬＥＤ１の間に設けられる。ここで「垂直方向」とは、屋外に設置された場合には、太陽の方向が上で、地面の方向が下とした上下方向となる。屋内に設置された場合には、照明される光源の方向が光学的には上の方向となる。
【００３２】
凹凸構造６１と同様に、凹凸構造６２をカバー５の対向面６に形成せずに、対向面６と対向する基板２上の面に設けることもできる。この場合には、対向面６と基板２上の凹凸構造との間に隙間があると、外光９は、対向面６で反射して、基板２上の凹凸構造の効果は十分に発揮されない。一方、対向面６と基板２上の凹凸構造の間に、光を透過する接着剤を充填する場合には、対向面６に凹凸構造６１を形成した場合と同等の効果が得られる。つまり、基板２上に凹凸構造を形成して、単にカバー５を取り付けただけでは、表示ユニット１１有する特別な効果は得られないことが分かる。
【００３３】
表示ユニット１１は、凹凸構造６２を形成する２つの斜面ｓ１，ｓ２のうち、最も強い外光が入射する方向にある斜面ｓ１の基板２に対する傾斜角ａ１が、他の斜面ｓ２の基板２に対する傾斜角ａ２より小さい。
【００３４】
＜変形例２＞
変形例２で示す凹凸構造６３は、凹凸構造６１，６２と異なる形状をしている。凹凸構造６１の２つの斜面ｓは、対向する基板２の面に対して、等しい傾斜角ａを有していた。また、凹凸構造６２は、太陽の光の入射する方向にある上側の斜面ｓ１の傾斜角ａ１が小さく、地面側にある下側の斜面ｓ２の傾斜角ａ２が大きい。凹凸構造６３は、２つの画素の位置の中心に対して、対称な形状をしている。
【００３５】
図３は、変形例２に係る表示ユニット１１の概略図である。図３（Ａ）は、変形例２に係る表示ユニット１１の概略構成を正面から示した斜視図である。図３（Ｂ）は、変形例２に係る表示ユニット１１の断面の概略構成を示した部分図である。図３では、凹凸構造６３を部分的に拡大して示している。
【００３６】
垂直方向に配置された２つのＬＥＤ１の間の上側の半分の凹凸構造６３は、変形例２と同様の形状をしている。つまり、上側の半分の凹凸構造６３は、太陽の光の入射する方向にある上側の斜面ｓ１の傾斜角ａ１が小さく、地面側にある下側の斜面ｓ２の傾斜角ａ２が大きい。一方、下側の半分の凹凸構造６３は、垂直方向に配置された２つのＬＥＤ１の間の中心点を通り水平面に平行な面に対して、上側の半分の凹凸構造６３と面対称の形状をしている。つまり、下側の半分の凹凸構造６３は、太陽の光の入射する方向にある上側の斜面ｓ３の傾斜角ａ３が大きく、地面側にある下側の斜面ｓ４の傾斜角ａ４が小さい。
【００３７】
凹凸構造６３は、上側の画素の位置から入射した外光９を、カバー５の外部に出射させるとともに、下側の画素の位置から入射した外光９も、カバー５の外部に出射させることができる。このように、凹凸構造６３は、画素の位置から入射して、カバー５の内部を伝播する迷光に対して有効である。
【００３８】
このため、凹凸構造６３は、隣り合う上下方向の画素位置の間のみならず、水平方向（左右方向）の画素位置の間にも形成されても、迷光を低減する効果が得られる。つまり、凹凸構造６３は、上下方向に隣り合う画素位置の間に上下対称となるように形成されることで、隣り合うどちらの画素からの迷光も等しく反射させ、他画素への伝播を低減することができる。また、凹凸構造６３は、水平方向に隣り合う画素位置の間に左右対称となるように形成されることで、隣り合うどちらの画素からの迷光も等しく反射させ、他画素への伝播を低減することができる。
【００３９】
凹凸構造６３は、隣り合う画素位置の間に形成されている。そして、凹凸構造６３の対向する２つ傾斜角度のうち、凹凸構造６３の位置から近い画素位置に面する斜面の傾斜角は小さい。また、凹凸構造６３の対向する２つ傾斜角度のうち、凹凸構造６３の位置から遠い画素位置に面する斜面の傾斜角は大きい。
【００４０】
つまり、表示ユニット１１は、凹凸構造６３を形成する２つの斜面ｓのうち、凹凸構造６３の位置から光源に近い斜面ｓの傾斜角ａは、他の斜面ｓの前記基板に対する傾斜角ａより小さい。
【００４１】
凹凸構造６１と同様に、凹凸構造６３をカバー５の対向面６に形成せずに、対向面６と対向する基板２上の面に設けることもできる。この場合には、対向面６と基板２上の凹凸構造との間に隙間があると、外光９は、対向面６で反射して、基板２上の凹凸構造の効果は十分に発揮されない。一方、対向面６と基板２上の凹凸構造の間に、光を透過する接着剤を充填する場合には、対向面６に凹凸構造６１を形成した場合と同等の効果が得られる。つまり、基板２上に凹凸構造を形成して、単にカバー５を取り付けただけでは、表示ユニット１１有する特別な効果は得られないことが分かる。
【００４２】
＜変形例３＞
上述の凹凸構造６１，６２，６３は、カバー５の基板２と対向する対向面６のみ設けられている。しかし、変形例３に係る凹凸構造６４は、カバー５の対向面６と対向する面にも設けられている。
【００４３】
図４は、変形例３に係る表示ユニット１１の概略図である。図４（Ａ）は、変形例３に係る表示ユニット１１の概略構成を正面から示した斜視図である。図４（Ｂ）は、変形例３に係る表示ユニット１１の断面の概略構成を示した部分図である。図４では、凹凸構造６４を部分的に拡大して示している。
【００４４】
図４では、凹凸構造６４の形状は、凹凸構造６１の形状と同じである。しかし、凹凸構造６４の形状は、他の凹凸構造６２，６３の形状と同じであっても良い。
【００４５】
カバー５の対向面６と対向する面７にも凹凸構造を設けることで、カバー５の内部を伝播する迷光の反射回数は増加して、他の画素位置に到達する光量を低減することができる。また、迷光の散乱度合いを高めることで、カバー５から出射する際の光の輝度を下げることができる。
【００４６】
また、凹凸構造６１と同様に、凹凸構造６４をカバー５の対向面６に形成せずに、対向面６と対向する基板２上の面に設けることもできる。この場合には、対向面６と基板２上の凹凸構造との間に隙間があると、外光９は、対向面６で反射して、基板２上の凹凸構造の効果は十分に発揮されない。一方、対向面６と基板２上の凹凸構造の間に、光を透過する接着剤を充填する場合には、対向面６に凹凸構造６４を形成した場合と同等の効果が得られる。つまり、基板２上に凹凸構造を形成して、単にカバー５を取り付けただけでは、表示ユニット１１有する特別な効果は得られないことが分かる。
【００４７】
表示ユニット１１は、凹凸構造６４を有する面（対向面６）に対向するカバー５の面７にも凹凸構造７４を有する。
【００４８】
図５は、表示ユニット１０，１１を平面状に配列した表示装置１００の構成図である。表示ユニット１０，１１を並べることで、容易に異なる画面サイズの表示装置１００を作製することができる。
【００４９】
なお、以上のように本発明の実施の形態について説明したが、本発明はこれらの実施の形態に限るものではない。
【符号の説明】
【００５０】
１  ＬＥＤ、  ２  基板、  ３  レンズアレイ、  ３１  レンズ、  ４  空気層、  ５  カバー、  ５１  凸構造部、  ６  対向面、  ６１，６２，６３，６４，７４  凹凸構造、  ７  面、  ９  外光、  １０，１１，  表示ユニット、  １００  表示装置、  ａ，ａ１，ａ２，ａ３，ａ４  傾斜角、  ｓ，ｓ１，ｓ２，ｓ３，ｓ４  斜面。
【図１】
2015011148.tif 000003
【図２】
2015011148.tif 000004
【図３】
2015011148.tif 000005
【図４】
2015011148.tif 000006
【図５】
2015011148.tif 000007
【図６】
2015011148.tif 000008
【図７】
2015011148.tif 000009
【図８】
2015011148.tif 000010